(57)【特許請求の範囲】
【請求項１】
顕微鏡のステージ上に載置して、光源像のピントを合わせて使用する板状体の表面に、前記顕微鏡の光軸中心と一致させるための十字マークと該十字マークを中心とする円とを有する指標を形成した落射照明用のターゲットスクリーンにおいて、
前記円の大きさを、心出しに用いる対物レンズの視野の大きさと略同一にするとともに、少なくとも前記指標を含む範囲に、蛍光塗料を含有した塗料を塗布したことを特徴とするターゲットスクリーン。
【請求項２】
前記塗料は、白色の浸透インクであることを特徴とする請求項１記載のターゲットスクリーン。
【請求項３】
顕微鏡のステージ上に載置して、光源像のピントを合わせて使用する、透光性の板状体からなり、その表面に十字マークと該十字マークを中心とする円とを有する指標を２個並べて形成するとともに、一方の前記指標を含む範囲を、蛍光塗料を含有した塗料で塗布したことを特徴とするターゲットスクリーン。
【発明の詳細な説明】
【０００１】
【産業上の利用分野】
本発明は、顕微鏡光源のフィラメント心出し調整に用いられるターゲットスクリーンに関する。
【０００２】
【従来の技術】
従来、顕微鏡の使用開始の際や光源の交換の際には、フィラメントの心出し、つまりフィラメント心出し調整をユーザが行うようになっている。
しかして、従来、この種のフィラメントの心出し調整において、例えば落射照明で、光源に水銀ランプ（蛍光観察用）を採用した場合の心出し調整として、レボルバー取付けタイプのものが知られている。このものは、図３に示すように対物レンズの代わりに対物レンズ取付けタイプの心出しスクリーンを用いたもので、筒状の心出しスクリーン本体１の一方端部に、図示しないレボルバーへの取付けネジ２を有し、また、本体１内部にミラー３を有するとともに、本体１の下方側面の窓部４にターゲットスクリーン５を配置して、レボルバー側からの光路をミラー３を介して窓部４側に折り曲げることで、ターゲットスクリーン５によりフィラメント心調整を可能にしている。
【０００３】
また、顕微鏡組み込みタイプのものとして、図４に示すように顕微鏡本体６のレボルバー７と接眼レンズ８との間にターゲットスクリーン９を組み込むとともに、顕微鏡の光路に、図示しないミラーを挿入可能に設け、心調整時に、光路にミラーを挿入することで、光源からの光を本体６内部のターゲットスクリーン９側に導入して、このターゲットスクリーン９によりフィラメントの心出し調整を可能にしている。
【０００４】
【発明が解決しようとする課題】
ところが、前者は、心出しスクリーン本体１を特別に用意しなければならないため、価格的に高価となり、また、構造的にもターゲットスクリーン５を有する心出しスクリーン本体１は、レボルバー下の奥まった所に位置されるため、窓部４を介したターゲットスクリーン５上の心出し調整のための像が見にくく、このため作業精度が低下し易く、また、落射照明専用であるため、透過照明の心出しに使用できないという問題点があった。
【０００５】
また、後者は、顕微鏡内部にターゲットスクリーン９を組み込むようになるので、顕微鏡全体の大型化を招き、価格的にも高価となり、さらに透過照明に対しては所定の光路にターゲットスクリーンを挿入するように構成すれば適用できるが、落射用および透過用についてそれぞれ異なる位置にターゲットスクリーンを配置する構成となるので、構成が複雑で、価格的にも高価になってしまう。
【０００６】
なお、光源としてハロゲンランプ（明視野／暗視野観察用）も用いられるが、心出しの調整は水銀ランプの場合と同様に行われ、上述した問題点もそのままあてはまる。ただハロゲンランプの場合は必ずしも調整が必要とは限らず、機種によっては、調整機構が省略された構成のものもある。
【０００７】
本発明は、上記事情に鑑みてなされたもので、透過および落射双方の照明に適用でき、しかも構成が簡単で心出しの作業性にも優れたターゲットスクリーンを提供することを目的とする。
【０００８】
【課題を解決するための手段】
請求項１記載の発明は、顕微鏡のステージ上に載置して、光源像のピントを合わせて使用する板状体の表面に、前記顕微鏡の光軸中心と一致させるための十字マークと該十字マークを中心とする円とを有する指標を形成した落射照明用のターゲットスクリーンにおいて、前記円の大きさを、心出しに用いる対物レンズの視野の大きさと略同一にするとともに、少なくとも前記指標を含む範囲に、蛍光塗料を含有した塗料を塗布したことを特徴としている。
請求項２記載の発明は、請求項１記載の発明において、前記塗料は、白色の浸透インクであることを特徴としている。
【０００９】
請求項３記載の発明は、顕微鏡のステージ上に載置して、光源像のピントを合わせて使用する、透光性の板状体からなり、その表面に十字マークと該十字マークを中心とする円とを有する指標を２個並べて形成するとともに、一方の前記指標を含む範囲を、蛍光塗料を含有した塗料で塗布したことを特徴としている。
【００１２】
【実施例】
以下、本発明の一実施例を図面に従い説明する。
図１は、本発明に適用されるターゲットスクリーンの正面図を示している。図において、１１は透光性を有するターゲットスクリーン本体で、このスクリーン本体１１は、周知のスライドガラスと同形状の板状体からなっている。スクリーン本体１１の材質としては、樹脂が最適で、例えばアクリルやポリカーボネットなどが用いられる。
【００１３】
そして、このターゲットスクリーン本体１１の左半分を落射照明用の不透明部１１１に、右半分を透過照明用の透明部１１２に形成している。ここで、ターゲットスクリーン本体１１の左半分の不透明部１１１は、浸透インクに蛍光塗料を添加したものを混入し白色部に構成している。ここで、不透明部１１１に蛍光塗料を添加するのは、蛍光観察用の励起光には、種々の波長のものが使用され、このうち緑系統の励起光（Ｇ励起）は、肉眼での視認性が悪いので、蛍光染料によって発光させるためである。
【００１４】
ターゲットスクリーン本体１１の左半分の不透明部１１１には、対物レンズ（１０×）の視野の大きさの同心円１２が形成されている。この場合、同心円１２の線の太さの外側をスーパワイド径、内側を普通視野径にしている。ここでのスーパワイド径および普通視野径は、接眼レンズの視野のタイプである広視野タイプと標準タイプに対応させたものである。そして、同心円１２の中心には、光軸を判断する十字マーク１３が形成されている。
【００１５】
また、ターゲットスクリーン本体１１の右半分の透明部１１２には、対物レンズ（１０×）のフィラメントサイズに外接する同心円１４が形成されるとともに、この同心円１４の内側に、対物レンズ（１０×）の視野の大きさの同心円１５が形成されている。この場合も同心円１５の線の太さの外側をスーパワイド径、内側を普通視野径にしている。さらに、同心円１５の内側に対物レンズ（４×）の視野の大きさの同心円１６が形成されている。そして、これら同心円１４、１５、１６の中心には、光軸を判断する十字マーク１７が形成されている。
【００１６】
しかして、このようなターゲットスクリーンを用いて、フィラメントの心出し調整を行うには、ターゲットスクリーン本体１１を図示しない顕微鏡の試料ステージ上にセットする。この場合、ターゲットスクリーン本体１１の顕微鏡のステージ上へのセットは、スライドガラスと同形状であることから、スライドガラスの取付け部をそのまま利用して固定する。
【００１７】
そして、まず、落射照明で、光源に水銀ランプを採用した場合の心出し調整を行うには、図示しないレボルバーに対物レンズ（１０×）を取付け、この状態で、ターゲットスクリーン本体１１の左半分の不透明部１１１を使用し、この不透明部１１１上で対物レンズを介してのおおよそのピント合わせと、心出し、つまり光軸合わせ（十字マーク１３を視野中心に合わせる。）を行う。そして、これらピント合わせと光軸合わせを終了した時点で、対物レンズを光軸から除去する。この場合、対物レンズを取り外してもよいし、レボルバーにより対物レンズのない空穴のものを位置させるようにしてもよい。
【００１８】
そして、この状態から、ターゲットスクリーン本体１１の左半分の不透明部１１１に投影される光源の像を見ながら、まず、フィラメントのピント合わせを行う。この場合のピント合わせは、例えば、光源を光軸方向に移動しながらターゲットスクリーン本体１１の不透明部１１１でのフィラメント像が明瞭になるように調整する。
【００１９】
次に、心出しを行う。この場合の心出しは、例えば、光源を光軸に垂直な平面内で移動しながら、ターゲットスクリーン本体１１の不透明部１１１の同心円１２内の十字マーク１３の中心にフィラメント像が位置するように調整する。
【００２０】
なお、ここでのピント合わせおよび心出しは、例えばランプハウスなどに設けられる光源の軸合わせ、ピント合わせ用の調整ビスにより行われる。
図２（ａ）（ｂ）は、このようなフィラメントの心出し調整の状態を示すものである。同図（ａ）では、フィラメント像Ｆがターゲットスクリーン本体１１の不透明部１１１の同心円１２内の十字マーク１３の中心より左側にずれている状態を示していて、この状態で、フィラメント像Ｆが明瞭になるようにピント合わせを行う。次いで、光源を光軸に垂直な平面内で移動しながら、同図（ｂ）に示すように、不透明部１１１の同心円１２内の十字マーク１３の中心にフィラメント像Ｆを位置させるように調整を行い、フィラメントの心出し調整を完了する。
【００２１】
次に、透過照明で、光源に水銀ランプを採用した場合の心出し調整を行うには、ターゲットスクリーン本体１１の右半分の透明部１１２を使用し、この透明部１１２上でおおよそのピント合わせと心出しを行う。ここでの心出しは、図示しない顕微鏡のコンデンサレンズを用いて行う。
【００２２】
そして、この状態から、ターゲットスクリーン本体１１の右半分の透明部１１２に投影される光源の像を見ながら、上述したと同様にしてフィラメントのピント合わせと心出し調整を行うようになる。
【００２３】
従って、このような実施例によれば、透光性の板状体からなるターゲットスクリーン本体１１の左半分を不透明部１１１に、右半分を透明部１１２に形成し、不透明部１１１表面に十字マーク１３と該十字マーク１３を中心とする同心円１２、透明部１１２表面に十字マーク１７と該十字マーク１７を中心とする同心円１４、１５、１６をそれぞれ形成しただけのものなので、ターゲットスクリーンとしての構成を簡単にでき、価格的にも安価にできる。しかもターゲットスクリーン本体１１上に落射照明用の不透明部１１１と透過照明用の透明部１１２を有することで、透過および落射双方の心出し調整に使用することもでき、経済的にも極めて有利である。
【００２４】
さらに、ターゲットスクリーン本体１１を顕微鏡の試料ステージ上に載置することで、ステージ上でフィラメント像を見ることができるようになるので、心出し調整のための作業を簡単にできる。
【００２５】
なお、実施例では、光源として水銀ランプが採用された場合に着いて説明したが、ハロゲンランプの場合でも同様に使用することができる。
以上、実施例に基づいて説明したが、本発明中には以下の発明が含まれる。
【００２６】
（１）透光性の板状体からなり、その表面に十字マークと該十字マークを中心とする円を形成したことを特徴とするターゲットスクリーン。
このようにすれば、透光性の板状体表面に十字マークと該十字マークを中心とする円を形成したもので、スクリーンの構成を簡単にでき、価格的にも安価なものにできる。
【００２７】
（２）（１）記載のターゲットスクリーンにおいて、透光性の板状体は、透過照明用の透明部と落射照明用の不透明部を有し、これら透明部と不透明部のそれぞれに十字マークと該十字マークを中心とする円を形成している。
【００２８】
このようにすれば、さらに透光性の板状体に透過照明用の透明部と落射照明用の不透明部を有することで、透過および落射双方の心出し調整に使用することができるようになり、経済的に有利にできる。
【００２９】
（３）透光性の板状体表面に十字マークと該十字マークを中心とする円を形成したターゲットスクリーンを顕微鏡の試料ステージ上に載置し、前記ターゲットスクリーンに顕微鏡の光源を投影して前記光源のフィラメント心出し調整を行うことを特徴とするフィラメント心出し調整方法。
【００３０】
このようにすれば、ターゲットスクリーンを顕微鏡の試料ステージ上に載置することで、ステージ上でフィラメント像を見ることができるので、心出し調整のための作業を簡単にできる。
【００３１】
【発明の効果】
以上述べたように本発明によれば、スクリーンの構成を簡単にできるとともに、価格的にも安価にできる。また、透過および落射双方の心出し調整に使用でき、経済的にも有利にできる。
【００３２】
また、ターゲットスクリーンを顕微鏡の試料ステージ上に載置することで、ステージ上でフィラメント像を見ることができるので、心出し調整のための作業を簡単にすることもできる。
【図面の簡単な説明】
【図１】  本発明の一実施例のターゲットスクリーンの概略構成を示す正面図。
【図２】  同実施例を説明するための図。
【図３】  従来のフィラメントの心出し調整の一例を示す図。
【図４】  従来のフィラメントの心出し調整の一例を示す図。
【符号の説明】
１１…ターゲットスクリーン本体、
１１１…不透明部、
１１２…透明部、
１２…同心円、
１３…十字マーク、
１４、１５、１６…同心円、
１７…十字マーク。
【図１】
0003698755.tif 000002
【図２】
0003698755.tif 000003
【図３】
0003698755.tif 000004
【図４】
0003698755.tif 000005